(57)【要約】【課題】回転体の回転時にトルクムラが生じず、電気的出力にノイズが入りにくく、回転体の抜け防止強度と押圧破壊防止強度とを強くできる回転式電子部品を提供すること。【解決手段】ケース１０と、ケース１０の回転体収納凹部１３内に収納される回転体本体部５１の上面から軸部５３を突出してなる回転体５０と、回転体本体部５１を収納したケース１０の上部を覆うカバー１３０とを具備する。カバー１３０の軸支部１３５だけで回転体５０を回動自在に軸支する。回転体本体部５１の外周から張り出すケース載置部５５を、ケース１０の回転体収納凹部１３の周囲に設けた回転体載置部２５上に載置することで、ケース１０の回転体収納凹部１３の内底面（フレキシブル回路基板３０の表面）に対向する回転体本体部５１の面全体をこの内底面から離間して設置する。【選択図】図１
2011243604.tif 000002
【特許請求の範囲】
【請求項１】
回転体収納凹部を有するケースと、前記ケースの回転体収納凹部内に収納される回転体本体部の上面から軸部を突出してなる回転体と、前記回転体本体部を収納したケースの上部を覆うカバーと、前記ケースの回転体収納凹部の内底面と回転体本体部の間に設置され回転体本体部の回転によって電気的出力を変化する電気的機能部とを具備する回転式電子部品において、
前記カバーに設けた軸支部に前記回転体の軸部を回動自在に軸支するとともに、
前記回転体本体部の外周から張り出すケース載置部を、前記ケースの回転体収納凹部の周囲に設けた回転体載置部上に載置することで、前記ケースの回転体収納凹部の内底面に対向する前記回転体本体部の面全体をこの内底面から離間して設置したことを特徴とする回転式電子部品。
【請求項２】
請求項１に記載の回転式電子部品において、
前記回転体は成形樹脂製であって、その軸部の少なくとも前記カバーの軸支部によって軸支されている内部の部分を中空とすることで横断面リング形状に形成したことを特徴とする回転式電子部品。
【請求項３】
請求項２に記載の回転式電子部品において、
前記カバーは金属製であって、前記軸支部を設けてなる上面板と、上面板の外周辺の部分を下方に折り曲げて形成される互いに対向する一対の側面板とを具備して構成されており、
一方前記回転体本体部上面の前記軸部を突出した周囲には、前記カバーの上面板の下面の軸支部の周囲に当接するカバー当接部を設け、
前記カバーの上面板の下面には、前記回転体本体部のケース載置部の上面に形成したクリック部に弾接してクリック感触を生ずる金属製のクリック板が設置され、このクリック板は帯状であって、前記カバーの上面板の前記側面板を設けていない一辺側の下面に電気的に接続した状態で取り付けられていることを特徴とする回転式電子部品。
【発明の詳細な説明】
【技術分野】
【０００１】
本発明は、回転式可変抵抗器や回転式スイッチ等の回転式電子部品に関するものである。
【背景技術】
【０００２】
従来の回転式電子部品は、例えば図７，図８に示すように、回転体収納凹部５６１を有する矩形箱型のケース５６０と、ケース５６０の回転体収納凹部５６１内に収納される回転体本体部５３１の上面から軸部５３７を突出してなる略円柱状の回転体５３０と、前記回転体本体部５３１を収納したケース５６０の上部を覆うカバー５１０と、前記ケース５６０の回転体収納凹部５６１の内底面と回転体本体部５３１の間に設置され回転体本体部５３１の回転によって電気的出力を変化する摺動子５５０と、前記カバー５１０の上面板５１５の下面と前記回転体本体部５３１の上面間に設置され回転体本体部５３１の上面に形成したクリック部５３５に弾接してクリック感触を生ずるクリック板５２２とを具備して構成されている。クリック板５２２は図８に示すように、回転体本体部５３１の周囲を囲むように、略リング形状に形成されている。
【先行技術文献】
【特許文献】
【０００３】
【特許文献１】特開２００５−７８８４４号公報
【発明の概要】
【発明が解決しようとする課題】
【０００４】
上記従来の回転式電子部品には以下のような問題点があった。
〔１〕回転体５３０は、カバー５１０の軸支部５１２によって軸支される軸部５３７の部分と、ケース５６０の穴５６４によって軸支される軸突起５３６の部分の２か所において軸支されるので、回転体５３０を回転する際に、トルクムラが生じる恐れがあった。即ち回転体５３０はその上下の２か所で軸支され、しかも軸支される部品はそれぞれ別部品（カバー５１０とケース５６０）なので、カバー５１０とケース５６０間の組立誤差などによって軸支部５１２の中心軸と穴５６４の中心軸とがぴったり一致しない。このため上述のように回転体５３０を回転する際に、トルクムラを生じる恐れがあった。
【０００５】
〔２〕回転体５３０は合成樹脂製であり、またケース５６０も合成樹脂製である。このため回転体５３０を回転した際、これ（軸突起５３６の部分）に当接しているケース５６０（この例ではケース５６０内に設置している合成樹脂製の回路基板５６５）との間に静電気が発生する。この静電気が発生する位置は、摺動子５５０や回路基板５６５上に形成した図示しない摺接パターンに接近した位置なので、これらに前記静電気が入り込み易く、ノイズの原因になっていた。
【０００６】
〔３〕図７に示すように、カバー５１０の矩形状の上面板５１５の対向する一対の外周辺には下方に直角に折り曲げられて垂下する一対の側壁部５１１，５１１が設けられ、その下端部からはこの回転式電子部品を主回路基板等の他の部材に取り付けるための舌片状の取付部５１３，５１３が突設されている。そして取付部５１３，５１３間の幅寸法は、これを取り付ける主回路基板などとの関係から設計上決まっており、これによってケース５６０の前記側壁部５１１，５１１に当接する側の外側面間の幅寸法も決定される。そしてこの回転式電子部品は、ケース５６０の回転体収納凹部５６１内に、リング形状のクリック板５２２を収納する構造なので、前記取付部５１３，５１３間の幅寸法が小さいと、回転体収納凹部５６１の内径寸法も小さくなり、このためクリック板５２２の外径寸法は回転体収納凹部５６１の内径に規制されて小さくなる。一方クリック板５２２の幅寸法はその強度を所定値以上に保つ必要があるので所定寸法以上必要であり、外径が小さくなった分だけ内径も小さくしなければならない。一方クリック板５２２の中央に通す回転体５３０の軸部５３７の外形寸法が設計上決まっていると、結局、回転体本体部５３１のクリック部５３５を設けたその上側部分のカバー当接部５３９の直径（すなわちクリック板５２２の内径寸法とほぼ同一の寸法）が小さくなり、このカバー当接部５３９のリング状の上面の半径方向の幅寸法Ｌ１が小さくなる。回転体５３０の上方向への抜け防止は、このカバー当接部５３９の上面をカバー５１０の軸支部５１２周囲の下面に当接することによって行っているが、カバー当接部５３９の上面の幅寸法Ｌ１が小さくなると、回転体５３０の抜け防止強度が低下してしまう。同様に回転体５３０下面の軸突起５３６の直径寸法は、摺動子５５０の中央を貫通する構造上、小さい。このため軸突起５３６に設ける段差部５４１の部分の半径方向の長さ寸法（幅寸法）も小さくなり、回転体５３０を上から押圧した際の破壊防止強度（押圧破壊防止強度）も低い。
【０００７】
本発明は上述の点に鑑みてなされたものでありその目的は、回転体の回転時にトルクムラが生じず、またその電気的出力にノイズが入りにくく、また回転体の抜け防止強度と押圧破壊防止強度とを強くすることができる回転式電子部品を提供することにある。
【課題を解決するための手段】
【０００８】
本願請求項１に記載の発明は、回転体収納凹部を有するケースと、前記ケースの回転体収納凹部内に収納される回転体本体部の上面から軸部を突出してなる回転体と、前記回転体本体部を収納したケースの上部を覆うカバーと、前記ケースの回転体収納凹部の内底面と回転体本体部の間に設置され回転体本体部の回転によって電気的出力を変化する電気的機能部とを具備する回転式電子部品において、前記カバーに設けた軸支部に前記回転体の軸部を回動自在に軸支するとともに、前記回転体本体部の外周から張り出すケース載置部を、前記ケースの回転体収納凹部の周囲に設けた回転体載置部上に載置することで、前記ケースの回転体収納凹部の内底面に対向する前記回転体本体部の面全体をこの内底面から離間して設置したことを特徴とする回転式電子部品にある。
【０００９】
本願請求項２に記載の発明は、請求項１に記載の回転式電子部品において、前記回転体は成形樹脂製であって、その軸部の少なくとも前記カバーの軸支部によって軸支されている内部の部分を中空とすることで横断面リング形状に形成したことを特徴とする回転式電子部品にある。
【００１０】
本願請求項３に記載の発明は、請求項２に記載の回転式電子部品において、前記カバーは金属製であって、前記軸支部を設けてなる上面板と、上面板の外周辺の部分を下方に折り曲げて形成される互いに対向する一対の側面板とを具備して構成されており、一方前記回転体本体部上面の前記軸部を突出した周囲には、前記カバーの上面板の下面の軸支部の周囲に当接するカバー当接部を設け、前記カバーの上面板の下面には、前記回転体本体部のケース載置部の上面に形成したクリック部に弾接してクリック感触を生ずる金属製のクリック板が設置され、このクリック板は帯状であって、前記カバーの上面板の前記側面板を設けていない一辺側の下面に電気的に接続した状態で取り付けられていることを特徴とする回転式電子部品にある。
【発明の効果】
【００１１】
請求項１に記載の発明によれば、回転体はカバーに設けた軸支部の部分のみで軸支されるので、回転体を２か所で軸支する場合に生じる回転体回転時のトルクムラを防止できる。
また電気的機能部の近傍部分で合成樹脂同士が摺接することがないので、静電気が電気的機能部へ侵入せず、ノイズの発生を防止できる。
また回転体本体部のケース載置部を、ケースの回転体載置部上に載置するので、回転体の押圧破壊防止強度を強くすることができる。
【００１２】
請求項２に記載の発明によれば、軸部の内部を中空とすることで、軸部の横断面における各部の厚みを全周にわたってほぼ均等に薄くすることができる。このため金型による回転体の成型時に、加熱溶融した合成樹脂が金型内で収縮する際の収縮量を小さくすることができ、同時に各部の収縮量を均等にすることができる。このため軸部の表面が硬化時に縮むことによって生じる凹み（いわゆる「ヒケ」）を防止でき、軸真円度を向上することができる。これによって回転体回転時のトルクムラを防止できる。また回転体回転時のトルクを最適なトルクに維持でき、回転しにくくなったり、逆にがたつきが生じたりすることも防止できる。
【００１３】
請求項３に記載の発明によれば、帯状のクリック板をカバーの上面板の側面板を設けていない一辺側の下面に（その一辺に沿うように）設置したので、側面板間の幅寸法が小さくなっても、このクリック板を設置することを原因として上記〔３〕で述べたように回転体本体部のカバー当接部の直径を小さくする必要はなくなり、カバー当接部の幅寸法を大きく保てる。これによって回転体の抜け防止強度を強く維持できる。また側面板間の幅寸法が小さくなってもクリック板の幅寸法を小さくする必要がないので、クリック板の強度を強く保てる。
また請求項１において回転体本体部のケース載置部を、ケースの回転体載置部上に載置するので、このケース載置部はケースの回転体収納凹部内から外方にはみ出す寸法に形成できる。このため回転体本体部の外径寸法を大きくでき、カバー当接部の上面の幅寸法も大きくでき、前記回転体の抜け防止強度をさらに強くすることができる。
また金属製のクリック板を金属製のカバーに電気的に接続した状態で取り付けるので、クリック板の近傍に位置している、前記回転体のケース載置部と前記ケースの回転体載置部との間の摺動部分によって生じる静電気はクリック板に入り込み易くなる。このため静電気が電気的機能部へ侵入することをさらに確実に防止でき、ノイズの発生をさらに確実に予防できる。
【図面の簡単な説明】
【００１４】
【図１】回転式電子部品１の縦断面図（図３のＡ−Ａ断面図）である。
【図２】回転式電子部品１の縦断面図（図３のＢ−Ｂ断面図）である。
【図３】回転式電子部品１の斜視図である。
【図４】回転式電子部品１を下側から見た斜視図である。
【図５】回転式電子部品１の分解斜視図である。
【図６】回転式電子部品１を下側から見た分解斜視図である。
【図７】従来の回転式電子部品の縦断面図である。
【図８】従来の回転式電子部品の縦断面図（図７とは９０°回転した位置での縦断面図）である。
【図９】図９（ａ）は軸部５３の中空部６７を設けた部分での横断面図、図９（ｂ）〜（ｄ）はその他の実施形態の同一部分での横断面図である。
【発明を実施するための形態】
【００１５】
以下、本発明の実施形態を図面を参照して詳細に説明する。図１〜図６は本発明の１実施形態に係る回転式電子部品１を示す図であり、図１は縦断面図（図３のＡ−Ａ断面図）、図２は縦断面図（図３のＢ−Ｂ断面図）、図３は斜視図、図４は下側から見た斜視図、図５は分解斜視図、図６は下側から見た分解斜視図である。これらの図に示すように回転式電子部品１は、ケース１０の回転体収納凹部１３内に、摺動子８０を取り付けた回転体５０の回転体本体部５１を収納し、且つその上にクリック板１００を設置し、さらにその上にカバー１３０を被せて構成されている。以下各構成部品について説明する。なお以下の説明において、「上」とはケース１０からカバー１３０を見る方向をいい、「下」とはその反対方向をいうものとする。
【００１６】
ケース１０は、合成樹脂製のケース本体１１の内部に回路基板（以下「フレキシブル回路基板」という）３０と複数本（３本）の端子板４５とをインサート成形して構成されている。ケース本体１１は略矩形箱型に形成され、その上面中央に略円形の回転体収納凹部１３を設けている。ケース１０の回転体収納凹部１３を囲む４辺からなる側壁部１５の上面の４つの角部の内の２つの角部の近傍には上方向に突出する突起状の係止部１７が設けられ、他方の２つの角部の近傍には略矩形状に薄く凹むクリック板挿入部１９が設けられている。各クリック板挿入部１９の底面には円形の薄い凹部２１が形成されている。ケース１０の回転体収納凹部１３を囲む４辺の側壁部１５の内の対向する一対の側壁部１５の中央部分にはその上面から凹状に凹む凹部２３が形成されている。凹部２３の底面は回転体載置部２５となっている。またこの底面に連続するように側壁部１５の内周面から突出して階段状となっている部分の上面も回転体載置部２５となっている。
【００１７】
ケース１０の回転体収納凹部１３の底面には、フレキシブル回路基板３０がその上面を露出して設置されている。フレキシブル回路基板３０の上面には同心円状に２本の摺接パターン３１が形成されており、それらからフレキシブル回路基板３０の外周近傍まで引き出された図示しない端子接続パターン上に各端子板４５の一端部が当接・接続され、この当接接続部の上下にケース１０を成形することで各端子板４５をケース１０に取り付けている。各端子板４５はケース１０の外部に突出した部分で下方向に略直角に折り曲げられている。
【００１８】
回転体５０は合成樹脂の一体成形品であり、略円板状の回転体本体部５１の上面中央から、回転体本体部５１の外径寸法よりもその外径寸法の小さい略円柱状の軸部５３を突出して構成されている。回転体本体部５１の外周にはリング状に張り出すケース載置部５５が設けられている。これによってケース載置部５５の上部には階段状に突出するカバー当接部５７が形成されている。ケース載置部５５の上面の所定位置には凹状のクリック部５９が形成されている。ケース載置部５５の下面には円形に突出する摺動子取付部６１が形成されており、その下面には摺動子取付用の小突起６３が形成されている。回転体５０の内部の中央には中空部６７が形成されている。中空部６７は回転体本体部５１の下面中央から軸部５３内の中央付近まで形成されている。中空部６７は略円柱形状（正確には上方向に向かってその内径を小さくしていく円錐台形状）であり、この軸部５３の横断面はリング形状であって、その半径方向の厚み寸法が各部で略均一になるように形成されている。軸部５３はその上部にこの軸部５３を図示しないつまみに嵌合するための切り欠き部６９が形成されているが、中空部６７はこの切り欠き部６９の下部近傍位置まで形成されている。
【００１９】
摺動子８０は弾性金属板を略リング形状に形成して構成されており、その所定位置に第１摺接部８１と第２摺接部８３が形成されており、またその所定位置に小孔からなる取付部８５が形成されている。
【００２０】
クリック板１００は弾性金属板を略帯状の直線状に形成して構成されており、その中央には下方向に突出するように湾曲する弾接部１０１が設けられ、その両端近傍には小孔からなる一対のカバー取付部１０３が設けられている。
【００２１】
カバー１３０は金属板製であり、略矩形状の上面板１３１の対向する一対の外周辺に接続されている側面板１３３，１３３を略垂直下方に屈曲させて構成されている。上面板１３１の中央には上方向に突出する円筒形状の軸支部１３５が形成されている。また上面板１３１の４つの角部の内の前記ケース１０の一対の係止部１７に対向する位置にはそれぞれこれら係止部１７を嵌合する小孔からなる挿入係止部１３７が形成されている。また上面板１３１の４つの角部の内の前記クリック板１００の一対のカバー取付部１０３に対向する位置にはそれぞれこれらカバー取付部１０３に挿入される下方向に突出する取付部１３９が形成されている。取付部１３９は下方向に凸状に突出するために上面板１３１の上面側では凹部となっている。
【００２２】
側面板１３３は略矩形状であって、その下辺の中央には下方向に向かって舌片状に突出する他部材取付部１４１が設けられ、またその下辺の左右両側には下方向に向かって舌片状に突出するケース取付部１４３が設けられている。
【００２３】
次に回転式電子部品１の組み立て方法を説明する。まず予め回転体本体部５１の下面に摺動子８０を配置し、その際回転体５０下面の小突起６３を摺動子８０の取付部８５に挿入し、その先端を熱かしめして、回転体５０に摺動子８０を固定する。一方カバー１３０の上面板１３１の下面にクリック板１００を配置し、その際カバー１３０の一対の取付部１３９をクリック板１００の一対のカバー取付部１０３に挿入し、各取付部１３９の先端をかしめることによって、カバー１３０の上面板１３１の下面にクリック板１００を電気的に接続した状態で取り付ける。
【００２４】
そして摺動子８０を取り付けた回転体５０の回転体本体部５１をケース１０の回転体収納凹部１３内に収納し、その際ケース載置部５５の下面をケース１０の回転体載置部２５の上面に当接・載置する。
【００２５】
次に前記ケース１０の上にカバー１３０を被せ、その際回転体５０の軸部５３をカバー１３０の軸支部１３５に挿入する。カバー１３０の上面板１３１をケース１０の上面に当接し、その際クリック板１００の両端部分はケース１０のクリック板挿入部１９内に収納され、またケース１０の係止部１７はカバー１３０の挿入係止部１３７に挿入され位置決めされる。またこのときカバー１３０の両側面板１３３，１３３はケース１０の対向する両外周側面にぴったり当接する。そしてカバー１３０の各ケース取付部１４３の先端部分をケース１０の下面に折り曲げてカバー１３０とケース１０とを一体化すれば、回転式電子部品１が完成する。そして回転体５０を回転すれば、摺動子８０がフレキシブル回路基板３０の摺接パターン３１上を摺動し、各端子板４５間の電気的出力が変化する。なお上記組立手順はその一例であり、他の各種異なる組立手順を用いて組み立てても良いことはいうまでもない。
【００２６】
以上説明したようにこの回転式電子部品１は、回転体収納凹部１３を有するケース１０と、ケース１０の回転体収納凹部１３内に収納される回転体本体部５１の上面から軸部５３を突出してなる回転体５０と、回転体本体部５１を収納したケース１０の上部を覆うカバー１３０と、ケース１０の回転体収納凹部１３の内底面（この実施形態ではケース１０にインサート成形したフレキシブル回路基板３０の表面）と回転体本体部５１の間に設置され回転体本体部５１の回転によって電気的出力を変化する電気的機能部（摺動子８０と摺接パターン３１）とを具備し、カバー１３０に設けた軸支部１３５に回転体５０の軸部５３を回動自在に軸支するとともに、回転体本体部５１の外周から張り出すケース載置部５５を、ケース１０の回転体収納凹部１３の周囲に設けた回転体載置部２５上に載置することで、ケース１０の回転体収納凹部１３の内底面に対向する回転体本体部５１の面全体をこの内底面から離間して設置して構成されている。
【００２７】
即ちこの回転式電子部品１によれば、回転体５０はカバー１３０に設けた軸支部１３５の部分のみで軸支されるので、回転体５０を２か所で軸支する場合に生じる回転体回転時のトルクムラを防止できる。また電気的機能部の近傍部分で合成樹脂同士が摺接することがないので、静電気が電気的機能部へ侵入せず、ノイズの発生を防止できる。また回転体本体部５１のケース載置部５５を、ケース１０の回転体載置部２５上に載置するので、回転体５０をその上側から押圧した時の押圧破壊防止強度を容易に強く維持することができる。
【００２８】
またこの回転式電子部品１は、カバー１３０が金属製であって、軸支部１３５を設けてなる上面板１３１と、上面板１３１の対向する一対の外周辺の部分を下方に折り曲げて形成される一対の側面板１３３，１３３とを具備して構成されており、一方回転体本体部５１の上面の軸部５３を突出した周囲にはカバー１３０の上面板１３１の下面の軸支部１３５の周囲に当接するカバー当接部５７を設け、またカバー１３０の上面板１３１の下面には回転体本体部５１のケース載置部５５の上面に形成したクリック部５９に弾接してクリック感触を生ずる金属製のクリック板１００が設置され、このクリック板１００は帯状であって、カバー１３０の上面板１３１の側面板１３３，１３３を設けていない一辺に沿うように、上面板１３１の下面に電気的に接続した状態で取り付けられている。
【００２９】
そしてこの回転式電子部品１は上記構成、即ち帯状（直線状）のクリック板１００をカバー１３０の上面板１３１の側面板１３３，１３３を設けていない一辺に沿うようにこの一辺側の下面に設置し、従来のようにクリック板をリング状に形成して軸部５３を囲むように設置していないので、側面板１３３，１３３間の幅寸法が小さくなっても、クリック板１００を設置することを原因として回転体本体部５１のカバー当接部５７の直径を小さくする必要はなくなり、カバー当接部５７の幅寸法Ｌ２を大きく保てる。カバー当接部５７はカバー１３０の上面板１３１の下面に当接して回転体５０の上方向への抜けを防止する部分なので、上記構成によって回転体５０の抜け防止強度を強く維持できる。また側面板１３３，１３３間の幅寸法が小さくなってもクリック板１００の幅寸法を小さくする必要がないので、クリック板１００の強度を強く保てる。
【００３０】
またこの回転式電子部品１によれば、回転体本体部５１のケース載置部５５を、ケース１０の回転体載置部２５上に載置するので、ケース載置部５５はケース１０の回転体収納凹部１３内から外方にはみ出す寸法に形成できる。即ちこの実施形態においてはケース１０に凹部２３を設けることで凹部２３内に回転体本体部５１のケース載置部５５をはみ出させている。このため回転体本体部５１の外径寸法を大きくでき、カバー当接部５７の上面の幅寸法Ｌ２も大きくでき、回転体の抜け防止強度を強くすることができる。
【００３１】
また金属製のクリック板１００を金属製のカバー１３０に電気的に接続した状態で取り付けるので、クリック板１００の近傍に位置している、回転体５０のケース載置部５５とケース１０の回転体載置部２５との間の摺動部分によって生じる静電気はクリック板１００に入り込み易くなる。またもちろんカバー１３０にも直接前記ケース載置部５５と回転体載置部２５間で生じる静電気が入り込む。このため静電気が電気的機能部へ侵入することをさらに確実に防止でき、ノイズの発生をさらに確実に予防できる。
【００３２】
さらに前述のようにこの回転式電子部品１においては、回転体５０の軸部５３の少なくともカバー１３０の軸支部１３５によって軸支されている内部の部分を中空（横断面リング形状）に形成しているが、このように構成することで、軸部５３の横断面における各部の厚みを全周にわたってほぼ均等に薄くすることができる。このため金型による回転体５０の成型時に、加熱溶融した合成樹脂が金型内で収縮する際の収縮量を小さくすることができ、同時に各部の収縮量を均等にすることができる。このため軸部５３の表面が硬化時に縮むことによって生じる凹み（いわゆる「ヒケ」）を防止でき、軸真円度を向上することができる。これによって回転体回転時のトルクムラを防止できる。また回転体回転時のトルクを最適なトルクに維持でき、回転しにくくなったり、逆にがたつきが生じたりすることも防止できる。
【００３３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば上記実施形態ではケース１０にインサート成形する回路基板としてフレキシブル回路基板３０を用いたが、フレキシブル回路基板３０の代りに硬質の回路基板を用いても良い。またケース１０に回路基板をインサート成形する代わりに、金属板をその表面がケース１０の回転体収納凹部１３の内底面に露出するようにインサート成形し、金属板の表面を直接摺接パターンとしても良い。また電気的機能部は上記構造に限られず、例えばケース１０側に摺動子を固定し、回転体５０側に摺動子が摺接する摺接パターンを形成する構造等でも良く、要は回転体５０の回転によって電気的出力を変化する電気的機能部であればどのような構造であっても良い。また端子板４５は必ずしも設置しなくても良い。
【００３４】
また上記実施形態では、クリック板１００を直線状の帯状としたが、曲線状（例えば円弧状）の帯状としても良く、要は帯状であってカバー１３０の上面板１３１の側面板１３３，１３３を設けていない一辺側の下面に設置できる形状・寸法であればよい。
【００３５】
また上記実施形態では回転体５０の軸部５３のカバー１３０の軸支部１３５によって軸支されている内部の部分に横断面円形の中空部６７を設けることで横断面リング形状に形成したが、中空部６７の形状は図９（ａ）に示すこの実施形態のように、その横断面が円形のものに限られず、図９（ｂ），（ｃ），（ｄ）に示すように、その横断面が四角形状，五角形状，六角形状等の多角形状等、他の各種形状でも良く、要は横断面リング形状となるものであればどのような形状であっても良い。
【符号の説明】
【００３６】
１  回転式電子部品
１０  ケース
１３  回転体収納凹部
２５  回転体載置部
３１  摺接パターン（電気的機能部）
５０  回転体
５１  回転体本体部
５３  軸部
５５  ケース載置部
５７  カバー当接部
５９  クリック部
６７  中空部
８０  摺動子（電気的機能部）
１００  クリック板
１３０  カバー
１３１  上面板
１３３  側面板
１３５  軸支部
【図１】
2011243604.tif 000003
【図２】
2011243604.tif 000004
【図３】
2011243604.tif 000005
【図４】
2011243604.tif 000006
【図５】
2011243604.tif 000007
【図６】
2011243604.tif 000008
【図７】
2011243604.tif 000009
【図８】
2011243604.tif 000010
【図９】
2011243604.tif 000011